(57)【特許請求の範囲】
【請求項１】
外方に向けて突出形成された突極部を有するステータコアおよびこのステータコアの突極部に巻き回されたステータコイルを有するステータ部と、
回転軸、ディスクを取り付け保持するディスク載置部、上記ステータコアの周方向に対向して設けられたロータマグネットを有するロータ部とを備えてなるスピンドルモータにおいて、
上記回転軸とディスク載置部とロータマグネットとが取り付けられるロータケースが磁性材で構成され、
上記ロータケースに対向する上記ステータコアに、上記ディスク載置部を吸引するための吸引用マグネットが取り付けられ、
上記ステータコアが上記吸引用マグネットのバックヨークとして用いられており、
ロータケースには、絞り加工によって吸引用マグネットへの近接部が形成されていることを特徴とするスピンドルモータ。
【請求項２】
回転軸を回転自在に保持するラジアル滑り軸受と、上記回転軸の端部を支持するスラスト軸受とを有し、吸引用マグネットにより上記回転軸が上記スラスト軸受に圧接している請求項１記載のスピンドルモータ。
【請求項３】
ラジアル滑り軸受はステータコア取り付け部を有し、ステータコアには、上記ラジアル滑り軸受とステータコイルとの間の空間において吸引用マグネットが取り付けられている請求項２記載のスピンドルモータ。
【請求項４】
外方に向けて突出形成された突極部を有するステータコアおよびこのステータコアの突極部に巻き回されたステータコイルを有するステータ部と、
回転軸、ディスクを取り付け保持するディスク載置部、上記ステータコアの周方向に対向して設けられたロータマグネットを有するロータ部とを備えてなるディスク駆動用のスピンドルモータを用い、
このスピンドルモータによって上記ディスク載置部に取り付けられたディスクを回転駆動するようにしたディスク駆動装置において、
上記回転軸とディスク載置部とロータマグネットとが取り付けられるロータケースが磁性材で構成され、
上記ロータケースに対向する上記ステータコアに、上記ディスク載置部を吸引するための吸引用マグネットが取り付けられ、
ロータケースには、絞り加工によって吸引用マグネットへの近接部が形成され、
上記ステータコアが上記吸引用マグネットのバックヨークとして用いられ、
ディスク回転時に上記ディスクの回転軸方向への移動が規制されていることを特徴とするディスク駆動装置。
【発明の詳細な説明】
【０００１】
【発明の属する技術分野】
本発明は、ＣＤ−ＲＯＭ，ＤＶＤ等のディスク記録媒体を回転駆動するディスク駆動用のスピンドルモータおよびこれを用いたディスク駆動装置に関するもので、特に高速化に対応することができるようにしたものである。
【０００２】
【従来の技術】
ＣＤ−ＲＯＭ，ＤＶＤ等のディスク記録媒体を回転駆動するディスク駆動用のスピンドルモータおよびこれを用いたディスク駆動装置は、ますます高速化が進んでおり、これに伴って、解決すべき技術課題が新たに生じている。高速化に伴うディスクの浮き上がりの問題もその一つである。そこでまず、高速化に伴うディスクの浮き上がり現象の原理について説明する。
【０００３】
図４において、ディスク駆動用のスピンドルモータ６１およびこのスピンドルモータ６１によって回転駆動されるディスク２５は、ディスク駆動装置内の限られた空間に収容されており、一つの筐体６０内に収容されているのと実質同一と考えてよい。ディスク載置部はスピンドルモータ６１の上端側にあるため、上記筐体６０内にスピンドルモータ６１およびディスク２５を収容したとき、ディスク２５の上面およびこれが対向する筐体６０の天井面との空間は、ディスク２５の下面およびこれが対向する筐体６０の底面との空間よりも狭くなっている。
【０００４】
スピンドルモータ６１によってディスク２５を回転駆動すると、ディスク２５表面の空気摩擦抵抗によって空気の流れが生じる。この空気の流れは、ディスク２５の面と、これと対向する筐体６０の面との間隔の大小によって異なる。図４に示す例のように、ディスク２５の上面の空間が、ディスク２５の下面側の空間よりも狭い場合は、ディスク２５上面側の空気の流速が、ディスク２５下面側の空気の流速よりも速くなるため、ディスク２５上面側の気圧がディスク２５下面側の気圧よりも低くなり、ディスク２５が筐体６０の天井面に向かって吸い寄せられ、ディスク２５に浮上力が発生する。この浮上力は、ディスクの回転速度が高くなるほど、また、ディスクドライブ装置の薄型化に伴い上側空間が狭くなればなるほど顕著に表れる。この浮上力によってディスク２５が浮上すると、ディスク２５の高さ位置が正規の高さ位置より外れるため、ＣＤ−ＲＯＭあるいはＤＶＤドライブ用モータの場合、フォーカスエラーによってデータの読み取りエラーや書き込みエラーが発生する。
【０００５】
上記のように、ディスクに浮上力が発生してもディスク２５の高さ位置が正規の高さ位置から外れないようにするための手段として、ディスクを取り付けて保持するためのロータと、このロータを回転付勢するためのステータとの間に、軸方向の吸引力を作用させ、回転軸をスラスト方向の一方向に偏らせることが考えられる。図５（ｂ）はその例を示しており、ロータケース７の周壁内面に取り付けられたロータマグネット８の回転軸方向に関する磁気中心と、これに対向するステータコア３の回転軸方向に関する磁気中心をＡだけずらし、磁気吸引力によってロータを下方に引き寄せる力を発生させている。実開平５−２３７８２号公報、実開昭６３−９７３６７号公報、実開昭６１−２０２１５３号公報に記載されているものも同様の構成を有するもので、この技術を利用することにより、回転軸にスラスト方向の一方向に偏ろうとする力であって、上記浮上力に打ち勝つ力を発生させ、この力をスラスト軸受で受けることによって、ディスク２５の高さ位置がずれないようにすることが考えられる。
【０００６】
【発明が解決しようとする課題】
上記のような方法によってディスクの浮き上がりを防止しようとすると、ディスクの回転速度が高くなればなるほど、また、ディスクとこれに対向する筐体面との間隔が狭くなればなるほど浮上力が大きくなるので、この浮上力に対抗するためには、ステータの軸方向磁気中心と、これと対向するロータマグネットの軸方向磁気中心とを大きくずらして、回転軸に発生するスラスト方向一方向の力をより大きくし、あるいは、ロータマグネットをより高性能のものとして、回転軸に発生するスラスト方向一方向の力をより大きくする必要がある。
【０００７】
しかしながら、前記問題を解決するために、上記のような方法によって回転軸に発生するスラスト方向一方向の力を大きくすると、次のような問題が生じする。ロータの回転位置に応じたステータコイルへの通電切り替えの際の、ロータとステータ間の吸引力と反発力がともに大きくなり、モータのスイッチングノイズの増大、コギングトルクの増大をもたらす。
ロータまたはステータの少なくとも一方の軸方向寸法を大きくする必要があるため、コストの増大をもたらすとともに、スピンドルモータ全体としての軸方向寸法の縮小化に対する障害となる。
【０００８】
本発明は以上のような従来技術の問題点を解消するためになされたもので、ステータの軸方向磁気中心と、これと対向するロータマグネットの軸方向磁気中心とを大きくずらさなくても、ディスク回転時のディスクの浮上を防止することができるようにして、モータのスイッチングノイズの増大、コギングトルクの増大を防止し、また、全体としての軸方向寸法の縮小化が可能なスピンドルモータおよびこれを備えたディスク駆動装置を提供することを目的とする。
【０００９】
【課題を解決するための手段】
請求項１記載の発明は、外方に向けて突出形成された突極部を有するステータコアおよびこのステータコアの突極部に巻き回されたステータコイルを有するステータ部と、回転軸、ディスクを取り付け保持するディスク載置部、上記ステータコアの周方向に対向して設けられたロータマグネットを有するロータ部とを備えたスピンドルモータにおいて、回転軸とディスク載置部とロータマグネットとが取り付けられるロータケースが磁性材で構成され、ロータケースに対向するステータコアに、ディスク載置部を吸引するための吸引用マグネットが取り付けられ、ステータコアが吸引用マグネットのバックヨークとして用いられており、ロータケースには、絞り加工によって吸引用マグネットへの近接部が形成されていることを特徴とする。
【００１０】
請求項２記載の発明は、請求項１記載の発明において、回転軸を回転自在に保持するラジアル滑り軸受と、回転軸の端部を支持するスラスト軸受とを有し、吸引用マグネットにより回転軸がスラスト軸受に圧接していることを特徴とする。
請求項３記載の発明は、請求項２記載の発明において、ラジアル滑り軸受はステータコア取り付け部を有し、ステータコアには、ラジアル滑り軸受とステータコイルとの間の空間において吸引用マグネットが取り付けられていることを特徴とする。
【００１１】
請求項４記載の発明は、外方に向けて突出形成された突極部を有するステータコアおよびこのステータコアの突極部に巻き回されたステータコイルを有するステータ部と、回転軸、ディスクを取り付け保持するディスク載置部、ステータコアの周方向に対向して設けられたロータマグネットを有するロータ部とを備えてなるディスク駆動用のスピンドルモータを用い、このスピンドルモータによってディスク載置部に取り付けられたディスクを回転駆動するようにしたディスク駆動装置において、回転軸とディスク載置部とロータマグネットとが取り付けられるロータケースが磁性材で構成され、ロータケースに対向するステータコアに、ディスク載置部を吸引するための吸引用マグネットが取り付けられ、ステータコアが吸引用マグネットのバックヨークとして用いられ、ディスク回転時にディスクの回転軸方向への移動が規制されていることを特徴とする。
【００１２】
【発明の実施の形態】
以下、図面を参照しながら本発明にかかるスピンドルモータおよびこれを備えたディスク駆動装置の実施の形態について説明する。
図１、図３において、モータ基板１には軸受取り付け孔が形成されていて、この軸受取り付け孔にはラジアル滑り軸受２が嵌められ固定されている。滑り軸受２は焼結金属からなり、潤滑油が含浸された焼結含油軸受である。滑り軸受２はその下端部が上記取り付け孔に挿入され、かしめ、接着等の適宜の手段によって固定されている。滑り軸受２はまたコアホルダも兼ねていて、中心孔を中心として周囲が円筒形に形成されるとともに、複数の段状に形成され、その段部にステータコア３の内周部が嵌められ、適宜の手段によって固定されている。図３を参照すれば明らかなように、ステータコア３は外方に向けて放射状に突出形成された突極部３３を有し、各突極部３３は、これに線材が巻き回されることによって形成されたステータコイル４を有している。ステータコア３、ステータコイル４等によってステータ部３０を構成している。
【００１３】
図１は、回転軸５の中心軸線を中心にして右側と左側で異なった実施の形態を示しているが、その差異は僅かである。まず、右側の実施の形態について説明すると、上記ステータコア３の内周縁部上面には、ラジアル滑り軸受２よりも外周側で、かつ、ステータコイル４よりも内周側に、換言すれば、滑り軸受２とステータコイル４との間の空間１５に、次に説明するディスク載置部を吸引するための吸引用マグネット１６が固定されている。吸引用マグネット１６は断面が長方形でリング状の部材で、ステータコア３の平坦な上記内周縁部上面に固定されている。
【００１４】
上記滑り軸受２の中心孔には回転軸５が挿入されている。滑り軸受２の上端から突出した回転軸５の上端部には、ボス６の中心孔が圧入されることによってボス６が固着されている。ボス６は下端に鍔部６１を有し、この鍔部６１の外周部下面側に、磁性材で構成されたロータケース７の中心孔周縁部上面が当接させられ、適宜の手段、例えばボス６のかしめ等によってボス６とロータケース７とが一体に結合されている。ロータケース７のボス６との上記結合部は絞り加工され、上記吸引用マグネット１６への近接部２７となっている。この近接部２７は上記吸引用マグネット１６とほぼ対向する位置に形成され、この近接部２７と吸引用マグネット１６との間隔が、例えば０.３ｍｍ以下というようにかなり近接している。ロータケース７は上記のように磁性材で構成されているため、近接部２７と吸引用マグネット１６が近接することによって、ロータケース７がかなり強い吸引力で下側に向かって吸引される。
【００１５】
上記ロータケース７は扁平なカップ状をしていて、これがステータ３０を取り囲むように伏せた形で配置され、ロータケース７の外周壁内面には、リング状のロータマグネット８が接着等によって固着されている。ロータマグネット８は周方向に所定の間隔で適宜数の磁極が形成されている。ロータマグネット８の内周面は適宜の間隔をおいて前記突極３３の先端面に対向している。ロータケース７はディスク載置部を兼ねている。より具体的には、ロータケース７の上面がディスク載置面となっていて、上面に固着された滑り止めラバー９上にディスクが載せられる。
【００１６】
ロータケース７の中心部上面には、ディスクの中心孔が嵌まる円盤状の嵌合体１０が、前記ボス６の円筒部外周に嵌められることによって固着されている。嵌合体１０の外周面からは、適宜の数箇所、例えば３箇所から、クランプ体１１の先端部が突出している。クランプ体１１は、嵌合体１０にその半径方向に移動可能にガイドされて保持されるとともに、先端部が嵌合体１０の外周面から突出する向きに、ばねによって付勢され、所定の突出位置で付勢力による移動が規制されている。クランプ体１１の先端部は砲弾状に形成されるとともに、最大突出部が、クランプ体１１の上下方向中心位置よりも上側に位置するように、かつ、滑り止めラバー９の上面から上記最大突出部までの高さ寸法よりもディスクの厚み寸法が小さくなるように、上記最大突出部の高さ位置が設定されている。
【００１７】
従って、ディスクの中心孔を嵌合体１０に合わせてディスクを押し下げると、ディスクの中心孔周縁部がクランプ体１１の上側傾斜面を押してクランプ体１１を付勢力に抗し後退させる。ディスクの中心孔上縁がクランプ体１１の最大突出部を乗り越えると、クランプ体１１は付勢力で再び突出しようとする向きに移動しつつディスクの中心孔上縁を下方に押し、ディスクをラバー９に押し付けて、ディスクを上下方向にも回転方向にも所定位置に位置決めするようになっている。回転軸５、ディスク載置部を兼ねたロータケース７、ロータマグネット８などからなる回転部分は、ロータ部４０を構成している。
【００１８】
前記回転軸５の下端部は、滑り軸受２の下端中央に形成された凹部に位置している。回転軸５の下端部には周溝が形成され、この周溝には抜け止めのためのリング２２が嵌められ、回転軸５が滑り軸受２から上方に抜けるのを防止している。滑り軸受２の上記凹部にはキャップ状の保持体２０が嵌められて固定されている。この保持体２０の内底部にはスラスト軸受２１が配置されていて、このスラスト軸受２１に、回転軸５の部分球面状下端が当接している。上記ロータ部４０の荷重によって、また、上記吸引用マグネット１６によるロータケース７に作用する吸引力によって、回転軸５の下端がスラスト軸受２１に圧接している。
【００１９】
ロータマグネット８の回転位置に応じて各ステータコイル４への通電を制御することにより、突極３３とロータマグネット８との間に生じる磁気的吸引反発力でロータマグネット８が周方向に回転付勢され、これとともにロータ部４０が連続回転駆動され、ディスク載置部に載置されクランプされているディスクも一体に回転駆動される。滑り軸受２は、回転軸５をラジアル方向に回転可能に保持するラジアル軸受を構成している。
【００２０】
ディスクの回転駆動に伴い、前述のように空気の流れが生じ、ディスクを浮上させようとする力が働くが、ステータコア３の上面に吸引用マグネット１６を固定し、これを磁性材からなるロータケース７と対向させたため、吸引用マグネット１６がロータケース７を上記浮上力に抗して吸引し、回転軸５の下端をスラスト軸受２１に圧接させる。そのため、ディスクの高さ位置変動がなく、フォーカスエラーもなく、ディスクに対する情報信号の書き込み、読み出しをエラーなく行うことができる。
【００２１】
このように、上記実施の形態によれば、吸引用マグネット１６を用いてディスクの浮き上がり防止を図っているので、図５（ｂ）について説明したような、ステータの軸方向磁気中心と、これと対向するロータマグネットの軸方向磁気中心とをずらす必要はなく、図５（ａ）に示すように、ステータの軸方向磁気中心と、これと対向するロータマグネットの軸方向磁気中心とを一致させて、そのずれを０とすることができる。従って、ロータ部４０の回転位置に応じたステータコイル４への通電切り替えの際の、ロータ部４０とステータ部３０間の吸引力と反発力の増大を抑えることができ、モータのスイッチングノイズと、コギングトルクの低減を図ることができる。なお、磁気中心を一致させるとは、寸法的な意味ではなく、磁気的にみたときの中心位置である。
【００２２】
図６、図７は、本発明の上記実施の形態にかかるスピンドルモータと、ステータの軸方向磁気中心とこれに対向するロータマグネットの軸方向磁気中心とをずらしてなる従来のスピンドルモータについて、それぞれノイズレベルを測定した結果を示す。図６が本発明にかかるスピンドルモータの測定結果を、図７は従来のスピンドルモータの測定結果を示す。何れも、５０００ｒｐｍでサーボが効くようにしたもので、サーボが効き始めてからのノイズレベルは大差がない。しかし、サーボが効き始めるまでの騒音レベルは、本発明にかかるモータの方が明らかに低く、静かに立ち上がっていることがわかる。一方、従来のモータでは、サーボがかかるまでの立ち上がりで、サーボが効いているときよりも大きな騒音を発生している。さらに、サーボが効き始めるまでの立ち上がり時間は、本願発明にかかるモータの方が、従来のモータよりも明らかに早くなっている。
【００２３】
また、ロータ部４０も、ステータ部３０も、軸方向寸法を大きくする必要がないため、コストの低減を図ることができるとともに、スピンドルモータ全体の軸方向寸法の縮小化を図ることができる。
さらに、図１に示す実施の形態によれば、ディスク載置部を軸方向に吸引するための吸引用マグネット１６は、モータのデットスペースであるところの、ラジアル滑り軸受２とステータコイル４との間の空間１５に取り付けられているため、吸引用マグネット１６を取り付けたことによってモータの軸方向寸法が増大することもない。
【００２４】
磁性材からなるロータケース７には、吸引用マグネット１６との対向位置において、絞り加工によって近接部２７を設け、この近接部２７を吸引用マグネット１６に近接させたため、吸引用マグネット１６によるロータケース７を吸引する力が大きくなる。従って、このスピンドルモータを備えたディスク駆動装置によれば、ディスクの高速回転駆動に伴ってディスクの浮上力が大きくなっても、これに打ち勝ってロータケース７を吸引し、回転軸５の下端をラジアル軸受２１に当接させて回転軸方向への移動を規制することができるため、ディスクの軸方向位置を所定位置に保持することができ、フォーカスエラーを防止して読み取りエラー、書き込みエラーを防止することができる。
【００２５】
さらに、吸引用マグネット１６をステータコア３の上面に直接取り付けているため、ステータコア３がバックヨークとして用いられることになり、吸引用マグネット１６によるロータケース７の吸引力を強くすることができ、これによって上記のような効果を得ることができる。
【００２６】
次に、図１の左側に示されている実施の形態について説明する。この実施の形態は、上記実施の形態と比較して、吸引用マグネットとステータコアの形状が異なるものである。すなわち、吸引用マグネット１７は上側約半分の外径が下側約半分の外径よりも大きい段付のリング状の部材で、この吸引用マグネット１７を取り付けるステータコア３の内径部分にも段部１８が形成されて吸引用マグネット１７の下側約半分を受け入れるようになっている。
このように、図１の左側に示されている実施の形態は、吸引用マグネットとステータコアの形状が前記実施の形態と異なるのみであって、他の構成は前記実施の形態と同じであり、作用効果も前記実施の形態と同じであるから、説明は省略する。
【００２７】
次に、図２に示す実施の形態について説明する。前記実施の形態では、ボス６を介してロータケース７が回転軸５に結合されていたが、回転軸５に直接ロータケース７を結合させてもよい。図２に示す実施の形態はその例である。図２において、ステータ部３０、ラジアル滑り軸受２、吸引用マグネット１６およびスラスト軸受２１を含む回転軸５にかかるスラスト荷重受け部の構成は、図１の右側に示されている実施の形態と同じ構成になっている。ロータケース７は中心位置に絞り加工によって円筒形のバーリング部２６が形成されており、このバーリング部２６に回転軸５の上端部が嵌められ、回転軸５とロータケース７が結合されている。
【００２８】
ロータケース７の中心部上面には、ディスクの中心孔が嵌まる円盤状の嵌合体１０が、上記バーリング部２６の外周に嵌められることによって固着されている。嵌合体１０の外周面からは、前記実施の形態と同様に、適宜の数箇所から、クランプ体１１の先端部が突出して、ディスククランプ機構を構成している。図２において符号２はディスクを示している。ディスク２５は、ディスク載置部を構成するラバー９の上に載置されるが、図２では、載置の途中を示している。図２の右半分に記載されている実施の形態では、ロータケース７の、吸引用マグネット１６の上面と対向する位置が絞り加工され、吸引マグネット１６への近接部２８が形成されている。この近接部２８は、回転軸５を中心とする同心円に沿って形成されている。近接部２８の下面と吸引マグネット１６の上面との間隔は、前述の例と同様に、例えば０.３ｍｍ程度に近接している。
【００２９】
図２の右半分に記載されている実施の形態における近接部２８は、吸引マグネット１６に対向する範囲内において形成されているが、図２の左半分に記載されている実施の形態では、吸引マグネット１６に対向する範囲から半径方向外側に及ぶ範囲で絞り加工によって吸引マグネット１６への近接部２９が形成されている。
【００３０】
図２の右半分に記載されている実施の形態によっても、また、図２の左半分に記載されている実施の形態によっても、図１に記載されている前記実施の形態と同様の作用効果を得ることができる。加えて、回転軸５とロータケース７との間にボスを介在させる必要がないため、部品点数を少なくすることができる。
【００３１】
以上説明した各実施の形態によれば、スピンドルモータとしても前述の効果を得ることができるし、このスピンドルモータを備えたディスク駆動装置を構成すれば、ディスクを高速回転駆動したときのディスクの浮き上がりを防止することができ、フォーカシングエラーの低減によって、読み取りエラー、書き込みエラーの低減を図ることができる。
【００３２】
【発明の効果】
請求項１記載の発明によれば、ステータコアおよびステータコイルを有するステータ部と、回転軸、ディスク載置部、ロータマグネットを有するロータ部とを備えてなるスピンドルモータにおいて、回転軸とディスク載置部とロータマグネットとを取り付けるロータケースを磁性材で構成し、ロータケースに対向するステータコアに、ディスク載置部を吸引するための吸引用マグネットを取り付けたため、ステータの軸方向磁気中心と、これに対向するロータマグネットの軸方向磁気中心とを一致させて、そのずれを０としても、回転軸を軸方向一方向に偏らせることができ、従って、ロータ部の回転位置に応じたステータコイルへの通電切り替えの際の、ロータ部とステータ部間の吸引力と反発力の増大を抑えることができ、モータのスイッチングノイズと、コギングトルクの低減を図ることができる。
また、ロータケースに、絞り加工によって吸引用マグネットへの近接部を形成したため、吸引用マグネットによるロータケースの吸引力を高めることができ、ステータコアを吸引用マグネットのバックヨークとして用いたことによっても、吸引用マグネットによるロータケースの吸引力を大きくすることができる。
【００３３】
請求項２記載の発明によれば、請求項１記載の発明において、回転軸を回転自在に保持するラジアル滑り軸受と、回転軸の端部を支持するスラスト軸受とを設け、吸引用マグネットにより回転軸をスラスト軸受に圧接させるようにしたため、ロータ部の軸方向位置を精度よく保つことができる。
【００３４】
請求項３記載の発明によれば、請求項２記載の発明において、ラジアル滑り軸受にステータコア取り付け部を設け、ステータコアには、ラジアル滑り軸受とステータコイルとの間の空間において吸引用マグネットを取り付けたため、吸引用マグネットは、スピンドルモータにおいてデッドスペースとなっている空間に配置されることになり、吸引用マグネットを取り付けたことによるモータ体格の増大を回避することができる。
【００３６】
請求項４記載の発明によれば、請求項１に記載されているようなスピンドルモータを備えたディスク駆動装置を構成し、吸引用マグネットによるロータケースの吸引力を高めるとともに、ディスク回転時にディスクの回転軸方向への移動を規制するようにしたため、ディスク回転時に、ディスクに浮上力が発生しても、この浮上力に打ち勝ってディスクの回転軸方向への移動を規制することができ、フォーカシングエラーの低減によって、読み取りエラー、書き込みエラーの低減を図ることができる。
【図面の簡単な説明】
【図１】本発明にかかるスピンドルモータおよびこれを備えたディスク駆動装置の実施の形態を示す正面断面図である。
【図２】本発明にかかるスピンドルモータおよびこれを備えたディスク駆動装置の、別の実施の形態を示す正面断面図である。
【図３】上記別の実施の形態ステータ部を示す平面図である。
【図４】従来のスピンドルモータの問題点を説明するための正面断面概念図である。
【図５】ステータコアの軸方向磁気中心とロータマグネットの軸方向磁気中心との関係を示すものであって、（ａ）は磁気中心のずれがゼロの場合を、（ｂ）は磁気中心のずれがある場合の断面図である。
【図６】本発明にかかるモータの例においてノイズ測定結果を示す線図である。
【図７】従来のモータにおいてノイズ測定結果を示す線図である。
【符号の説明】
３  ステータコア
２  ラジアル滑り軸受
４  ステータコイル
５  回転軸
７  ロータケース
８  ロータマグネット
９  ディスク載置部を構成するラバー
１５  空間
１６  吸引用マグネット
１７  吸引用マグネット
２１  スラスト軸受
２５  ディスク
２７  近接部
２８  近接部
３０  ステータ部
３３  突極部
４０  ロータ部
【図１】
0003696451.tif 000002
【図２】
0003696451.tif 000003
【図３】
0003696451.tif 000004
【図４】
0003696451.tif 000005
【図５】
0003696451.tif 000006
【図６】
0003696451.tif 000007
【図７】
0003696451.tif 000008